(57)【要約】【課題】過電流に対する保護をすることが可能、且つ、保護状態を目視にて確認することも可能な雄ジョイントコネクタを提供する。【解決手段】雄ジョイントコネクタ３は、雌コネクタ２に対するコネクタ収容部７が正面１４に開口する絶縁性の雄コネクタハウジング１２と、コネクタ収容部７にタブが突出するように雄コネクタハウジング１２に装着される導電性の金属板１３とを備えて構成される。金属板１３は、過電流保護用としての可溶体部２７を有し、この可溶体部２７はタブに連続するように形成される。金属板１３は、この他にバスバー２６を有する。金属板１３は、バスバー２６と可溶体部２７とタブがコ字状になるように配置形成される。コ字状の金属板１３は、これが雄コネクタハウジング１２に装着されると、可溶体部２７が雄コネクタハウジング１２の背面１５に位置するように配置される。【選択図】図１
2016134216.tif 000002
【特許請求の範囲】
【請求項１】
雌コネクタに対するコネクタ収容部が第一の面に開口する絶縁性の雄コネクタハウジングと、前記コネクタ収容部にタブが突出するように前記雄コネクタハウジングに装着される導電性の金属板とを備え、
該金属板は、過電流保護用として前記タブに連続する可溶体部を有し、且つ、該可溶体部が前記雄コネクタハウジングの前記第一の面に対し反対側に位置する第二の面に配置される、又は、該第二の面から臨む位置に配置される
ことを特徴とする雄ジョイントコネクタ。
【請求項２】
請求項１に記載の雄ジョイントコネクタにおいて、
当該雄ジョイントコネクタは、前記可溶体部を覆う透明なカバーを更に備える
ことを特徴とする雄ジョイントコネクタ。
【請求項３】
請求項２に記載の雄ジョイントコネクタにおいて、
前記カバーは、前記金属板の一部に当接可能な金属板押さえ部を有する
ことを特徴とする雄ジョイントコネクタ。
【発明の詳細な説明】
【技術分野】
【０００１】
本発明は、絶縁性の雄コネクタハウジングと、この雄コネクタハウジングに装着される導電性の金属板とを備える雄ジョイントコネクタに関する。
【背景技術】
【０００２】
下記特許文献１に開示されるコネクタは、電気的な接続を行うためのものであって、雄ジョイントコネクタと、複数の雌コネクタとを備えて構成される。雄ジョイントコネクタには、複数のコネクタ収容部が形成され、対応するコネクタ収容部に雌コネクタが差し込まれると嵌合・収容状態になって電気的な接続が完了する。
【０００３】
ここで、雄ジョイントコネクタに関し、以下に例を挙げて説明をすることにする（図１２ないし図１７は本願出願人による説明図である）。
【０００４】
図１２において、コネクタ１０１は、雄ジョイントコネクタ１０２と、複数の雌コネクタ１０３とを備えて構成される。図１２ないし図１５において、雄ジョイントコネクタ１０２は、雄形のコネクタであって、雄コネクタハウジング１０４と、この雄コネクタハウジング１０４に装着される二枚の金属板１０５とを備えて構成される。雄ジョイントコネクタ１０２は、電源分配のために使用される（図１６（ａ）参照）。
【０００５】
雄コネクタハウジング１０４は、雌コネクタ１０３の収容部分として形成されるコネクタ収容部１０６と、金属板１０５の装着部分として形成される金属板装着部１０７とを有する。コネクタ収容部１０６は、雄コネクタハウジング１０４の正面１０８を開口するように形成される。コネクタ収容部１０６は、雄コネクタハウジング１０４に金属板１０５が装着されると、この金属板１０５を構成するタブ１０９がコネクタ収容部１０６に突出するように形成される（引用符号１１０はタブ１０９を連結するバスバーを示す）。複数のコネクタ収容部１０６は、雌コネクタ１０３の嵌合・収容方向に対し直交する方向に並んで形成される。
【０００６】
金属板装着部１０７は、雄コネクタハウジング１０４の背面１１１を真っ直ぐに切り欠いて、この切り欠きがコネクタ収容部１０６まで貫通するような形状に形成される。尚、バスバー１１０における引用符号１１２は、ハウジング圧入固定部を示す。ハウジング圧入固定部１１２は、金属板装着部１０７に食い込んで金属板１０５の抜けを防止することができる部分として形成される。
【０００７】
図１２ないし図１４において、雌コネクタ１０３は、二本の電線１１３の端末に設けられて雄ジョイントコネクタ１０２に接続される雌形のコネクタとして構成される。雌コネクタ１０３は、雌コネクタハウジング１１４と、雄ジョイントコネクタ１０２のタブ１０９に接続される雌端子金具１１５とを備えて構成される。雌コネクタハウジング１１４には、雌端子金具１１５が収容係止される端子収容室１１６が形成される。この端子収容室１１６には、ランス１１７が形成される。
【０００８】
上記構成及び構造において、雄ジョイントコネクタ１０２は、図１６（ａ）に示す如く、自動車に搭載される複数の補器１１８への電源分配のために使用される。しかしながら、次のような問題点を有する。すなわち、雄ジョイントコネクタ１０２にあっては、補器１１８までの電線路の過電流保護ができないという問題点を有する。
【０００９】
そこで、上記問題点の解消のために、図１６（ｂ）及び図１７に示すような過電流保護用の可溶体部１１９を設けるという対策案が考えられる。しかしながら、可溶体部１１９は金属板１０５が金属板装着部１０７に装着されてしまうと、この可溶体部１１９の状態が目視にて確認することができないという問題点を有する（金属板１０５が金属板装着部１０７に装着されると、図１２（ｂ）のような状態になって可溶体部１１９を目視にて確認することができない）。
【先行技術文献】
【特許文献】
【００１０】
【特許文献１】特開２００４−３４３９７４号公報
【発明の概要】
【発明が解決しようとする課題】
【００１１】
本発明は、上記した事情に鑑みてなされたもので、過電流に対する保護をすることが可能、且つ、保護状態を目視にて確認することも可能な雄ジョイントコネクタを提供することを課題とする。
【課題を解決するための手段】
【００１２】
上記課題を解決するためになされた請求項１に記載の本発明の雄ジョイントコネクタは、雌コネクタに対するコネクタ収容部が第一の面に開口する絶縁性の雄コネクタハウジングと、前記コネクタ収容部にタブが突出するように前記雄コネクタハウジングに装着される導電性の金属板とを備え、該金属板は、過電流保護用として前記タブに連続する可溶体部を有し、且つ、該可溶体部が前記雄コネクタハウジングの前記第一の面に対し反対側に位置する第二の面に配置される、又は、該第二の面から臨む位置に配置されることを特徴とする。
【００１３】
請求項２に記載の本発明は、請求項１に記載の雄ジョイントコネクタにおいて、当該雄ジョイントコネクタは、前記可溶体部を覆う透明なカバーを更に備えることを特徴とする。
【００１４】
請求項３に記載の本発明は、請求項２に記載の雄ジョイントコネクタにおいて、前記カバーは、前記金属板の一部に当接可能な金属板押さえ部を有することを特徴とする。
【発明の効果】
【００１５】
請求項１に記載された本発明によれば、可溶体部を有する金属板を採用することから、過電流に対する保護をすることができるという効果を奏する。また、本発明によれば、特許請求の範囲に記載された第一の面を雄コネクタハウジングの例えば正面、第二の面を背面とすると、この背面に過電流保護用の可溶体部を配置するようになることから、又は、背面から臨む位置に可溶体部を配置するようになることから、可溶体部の状態を目視することができるという効果を奏する。別な言い方をすれば、雄コネクタハウジングの背面側を見れば溶断箇所を容易に確認することができるという効果を奏する。これにより、異常発生機器を容易に特定することができるという効果を奏する。
【００１６】
請求項２に記載された本発明によれば、請求項１の効果に加え次のような効果を更に奏する。すなわち、過電流にて可溶体部が溶断した場合であっても、透明なカバーで溶断金属の飛散を防止することができるという効果を奏する。また、本発明によれば、透明なカバーであることから、当然に可溶体部の状態を目視することができるという効果を奏する。
【００１７】
請求項３に記載された本発明によれば、請求項２の効果に加え次のような効果を更に奏する。すなわち、金属板の一部を金属板押さえ部にて押さえることから、金属板の抜けを防止することができるという効果を奏する。
【図面の簡単な説明】
【００１８】
【図１】本発明の雄ジョイントコネクタを示す図であり、（ａ）は雌コネクタとのコネクタ嵌合時の正面図、（ｂ）は背面図である（実施例１）。
【図２】図１のＢ−Ｂ線断面図である（実施例１）。
【図３】図１の雄ジョイントコネクタ及び雌コネクタの斜視図である（実施例１）。
【図４】図３の雄コネクタハウジングの斜視図である（実施例１）。
【図５】図３の金属板の斜視図である（実施例１）。
【図６】他の例となる本発明の雄ジョイントコネクタを示す斜視図である（実施例２）。
【図７】図６の雄コネクタハウジング及び金属板の斜視図である（実施例２）。
【図８】図６のカバーの斜視図である（実施例２）。
【図９】図６の雄ジョイントコネクタを示す図であり、（ａ）は雌コネクタとのコネクタ嵌合時の正面図、（ｂ）はカバーで覆う前の背面図である（実施例２）。
【図１０】図９のＢ−Ｂ線断面図である（実施例２）。
【図１１】図９のＣ−Ｃ線断面図である（実施例２）。
【図１２】問題点を説明するための図であり、（ａ）は雌コネクタとのコネクタ嵌合時の正面図、（ｂ）は背面図である。
【図１３】図１２のＡ−Ａ線断面図である。
【図１４】図１２の雄ジョイントコネクタ及び雌コネクタの斜視図である。
【図１５】図１２の雄コネクタハウジング及び金属板の斜視図である。
【図１６】電源分配状態を示す模式図である。
【図１７】図１６（ｂ）の具体例であり、金属板に可溶体部を設けた図である。
【発明を実施するための形態】
【００１９】
雄ジョイントコネクタは、雌コネクタに対するコネクタ収容部が正面に開口する絶縁性の雄コネクタハウジングと、コネクタ収容部にタブが突出するように雄コネクタハウジングに装着される導電性の金属板とを備えて構成される。金属板は、過電流保護用としての可溶体部を有し、この可溶体部はタブに連続するように形成される。金属板は、この他にバスバーを有する。金属板は、バスバーと可溶体部とタブがコ字状になるように配置形成される。コ字状の金属板は、これが雄コネクタハウジングに装着されると、可溶体部が雄コネクタハウジングの背面に位置するように配置される。
【実施例１】
【００２０】
以下、図面を参照しながら実施例１を説明する。図１は本発明の雄ジョイントコネクタを示す図であり、（ａ）は雌コネクタとのコネクタ嵌合時の正面図、（ｂ）は背面図である。また、図２は図１のＢ−Ｂ線断面図、図３は図１の雄ジョイントコネクタ及び雌コネクタの斜視図、図４は図３の雄コネクタハウジングの斜視図、図５は図３の金属板の斜視図である。
【００２１】
以下の説明において、具体的な形状、材料、数値、方向等は、本発明の理解を容易にするための例示であって、用途、目的、仕様等に合わせて適宜変更することができるものとする。
【００２２】
＜コネクタ１について＞
図１ないし図３において、コネクタ１は、電源からの電力を複数の機器に分配するためのものであって、複数の雌コネクタ２と、本発明の雄ジョイントコネクタ３とを備えて構成される。
【００２３】
＜雌コネクタ２について＞
雌コネクタ２は、絶縁性の雌コネクタハウジング４と、電線５の端末に設けられて後述する金属板１３のタブ２５に接続される複数の雌端子金具６とを備えて構成される。雌コネクタハウジング４は、樹脂成形品であって、図では縦長の箱形状に形成される。このような雌コネクタハウジング４には、端子収容室７が形成される。端子収容室７は、縦方向に沿って並ぶように二つ形成される（雌端子金具６も二つになる）。このような端子収容室７には、ランス８が形成される。ランス８は、端子収容室７に収容された雌端子金具６を係止する部分として形成される。端子収容室７における引用符号９は、金属板１３のタブ２５に対する挿入口を示す。
【００２４】
図２において、雌端子金具６は、後述する金属板１３のタブ２５に接続される電気接触部１０と、この電気接触部１０に連続する電線接続部１１とを有する。電気接触部１０は、断面矩形の筒形状に形成される。電気接触部１０には、ランス８に引っ掛かり係止される部分（符号省略）が形成される。
【００２５】
雌コネクタ３は、端子収容室７に対して雌端子金具６を収容し、そして、雌端子金具６がランス８により係止されれば、組み立てが完了する。
【００２６】
＜本発明の雄ジョイントコネクタ３の構成について＞
図１ないし図３において、雄ジョイントコネクタ３は、絶縁性の雄コネクタハウジング１２と、二つ（二枚）の金属板１３とを備えて構成される。
【００２７】
＜雄コネクタハウジング１２について＞
図４において、また、図１ないし図３において、雄コネクタハウジング１２は、樹脂成形品であって、図では正面から見て長方形の箱形状に形成される（横長の箱形状に形成される）。もう少し詳しく説明すると、引用符号１４を雄コネクタハウジング１２の正面、１５を背面、１６を上面、１７を下面、１８を左側面、１９を右側面とすれば、雄コネクタハウジング１２は左右方向に横長になる箱形状に形成される。このような雄コネクタハウジング１２には、複数のコネクタ収容部２０と、金属板装着部２１とが形成される。
【００２８】
コネクタ収容部２０は、雌コネクタ２の収容部分として形成される。コネクタ収容部２０は、左右方向に沿って並ぶように複数形成される。また、上下方向に沿って長く開口するように、且つ左右方向に沿って短く開口するように形成される（図示の如く縦長に開口形成される）。コネクタ収容部２０は、本実施例において、八つ形成される。
【００２９】
金属板装着部２１は、金属板１３の装着部分として形成される。金属板装着部１３は、本実施例において、金属板１３を圧入にて保持し装着状態にすることができるように形成される。また、金属板装着部２１は、金属板１３が装着されると、コネクタ収容部２０に金属板１３の後述するタブ２５が突出するように、また、後述する可溶体部２７が背面１５に配置されるように形成される。具体的には、タブ挿通部２２と、バスバー圧入固定部２３と、可溶体配置部２４とを有する断面コ字状（図２参照）の部分として金属板装着部２１が形成される。
【００３０】
タブ挿通部２２は、金属板１３の後述するタブ２５を挿通する部分として形成される。タブ挿通部２２は、背面１５からコネクタ収容部２０まで真っ直ぐに貫通する形状に形成される。バスバー圧入固定部２３は、金属板１３の後述するバスバー２６を圧入にて保持する部分として形成される。バスバー圧入固定部２３は、背面１５を左右方向に細長く、且つ、正面１４に向けて深く切り欠くようなスリット形状に形成される。
【００３１】
可溶体配置部２４は、金属板１３の後述する可溶体部２７を背面１５に対し面一に配置するための部分として形成される。また、可溶体配置部２４は、タブ挿通部２２及びバスバー圧入固定部２３に連続する部分として形成される。可溶体配置部２４は、浅底の凹み形状（可溶体部２７の厚み分だけ凹ませる形状）に形成される。尚、可溶体配置部２４は、凹ませずに背面１５そのものにて適用してもよいものとする。
【００３２】
＜金属板１３について＞
図２及び図５において、金属板１３は、導電性を有する金属の板をプレス加工することにより形成される。金属板１３は、複数のタブ２５と、この複数のタブ２５を所定の間隔をあけて配置するためのバスバー２６と、一端がタブ２５に連続し且つ他端がバスバー２６に連続する可溶体部２７とを有して、これらがコ字状に並ぶように形成される。金属板１３は、本実施例において、バスバー２６に対しタブ２５が八つ、バスバー２６の枚数は二枚である（タブ２５の数やバスバー２６の枚数は一例であり、雌コネクタ２の仕様等に合わせるものとする）。
【００３３】
タブ２５は、雌端子金具６における電気接触部１０との電気的な接続部分として形成される。タブ２５には、可溶体部２７との連続部分として折り曲げ連続部２８が形成される。折り曲げ連続部２８は、９０度に折り曲げられて形成される。
【００３４】
バスバー２６は、帯板状に形成される。このようなバスバー２６の両サイドには、ハウジング圧入固定部２９が形成される。ハウジング圧入固定部２９は、金属板１３の装着時にバスバー圧入固定部２３に対し圧入されるような形状に、且つ、食い込むような形状に形成される。バスバー２６には、可溶体部２７との連続部分として折り曲げ連続部３０が形成される。折り曲げ連続部３０は、タブ２５の折り曲げ連続部２８と同様に、９０度に折り曲げられて形成される。
【００３５】
可溶体部２７は、過電流保護用の部分として形成される。すなわち、過電流が流れた時に溶断可能な部分として形成される。可溶体部２７は、Ｓ字状に形成される。
【００３６】
＜雄ジョイントコネクタ３の組み立てについて＞
以上のような構成及び構造の雄ジョイントコネクタ３は、雄コネクタハウジング１２の金属板装着部２１に対し金属板１３を装着し、そして、この金属板１３が抜けのない状態に保持されれば、組み立てが完了する。雄ジョイントコネクタ３の組み立てが完了すると、図１（ｂ）及び図２に示す如く、雄コネクタハウジング１２の背面１５には、金属板１３の可溶体部２７が配置される。
【００３７】
＜本発明の効果について＞
以上、図１ないし図５を参照しながら説明してきたように、本発明の雄ジョイントコネクタ３によれば、可溶体部２７を有する金属板１３を採用することから、過電流に対する保護をすることができるという効果を奏する。また、本発明の雄ジョイントコネクタ３によれば、雄コネクタハウジング１２の背面１５に可溶体部２７を配置することから、可溶体部２７の状態を目視することができるという効果を奏する。別な言い方をすれば、雄コネクタハウジング１２の背面１５側を見れば溶断箇所を容易に確認することができるという効果を奏する。これにより、異常発生機器を容易に特定することができるという効果を奏する。
【実施例２】
【００３８】
以下、図面を参照しながら実施例２を説明する。図６は他の例となる本発明の雄ジョイントコネクタを示す斜視図である。また、図７は図６の雄コネクタハウジング及び金属板の斜視図、図８は図６のカバーの斜視図、図９は図６の雄ジョイントコネクタを示す図であり、（ａ）は雌コネクタとのコネクタ嵌合時の正面図、（ｂ）はカバーで覆う前の背面図、図１０は図９のＢ−Ｂ線断面図、図１１は図９のＣ−Ｃ線断面図である。尚、上記実施例１と基本的に同じ構成部材には同一の符号を付して詳細な説明を省略する。
【００３９】
＜他の例となる本発明の雄ジョイントコネクタ３１の構成について＞
図６ないし図１１において、雄ジョイントコネクタ３１は、実施例１の雄ジョイントコネクタ３を代替するものであって、絶縁性の雄コネクタハウジング３２と、二つ（二枚）の金属板１３と、カバー３３とを備えて構成される。
【００４０】
＜雄コネクタハウジング３２について＞
雄コネクタハウジング３２は、実施例１の雄コネクタハウジング３に対し複数のカバー係止突起３４を所定位置に配置形成したものである（他の部分は実施例１と同じである）。カバー係止突起３４は、カバー３３を引っ掛けて係止するための部分であって、係止面と案内用のテーパ面とを有する小さな爪状の突起に形成される。カバー係止突起３４は、上面１６及び下面１７に二つずつ、左側面１８及び右側面１９に一つずつ突出形成される（数は一例であるものとする）。カバー係止突起３４は、上記いずれの面も背面１５の近傍に配置形成される。
【００４１】
＜カバー３３について＞
カバー３３は、雄コネクタハウジング１２の背面１５に配置される可溶体部２７を覆うためのものであって、本実施例においては透明な樹脂材料を用いて成形される（全体を透明にする以外に、必要部分だけを透明にしてもよいものとする。カバー３３は、可溶体部２７を覆うことができればよく、形状は特に限定されないものとする）。
【００４２】
カバー３３は、雄コネクタハウジング３２の背面１５に対向する背面対向部３５と、上面１６に対向する上面対向部３６と、下面１７に対向する下面対向部３７と、左側面１８に対向する左側面対向部３８と、右側面１９に対向する右側面対向部３９とを有して浅底の略蓋形状に形成される。
【００４３】
背面対向部３５の内面には、小さな突起状の金属板押さえ部４０が複数形成される。金属板押さえ部４０は、金属板１３の折り曲げ連続部２８及び３０に当接するように（又は当接可能に）上記内面から突出形成される。
【００４４】
上面対向部３６、下面対向部３７、左側面対向部３８、及び右側面対向部３９の各内面には、雄コネクタハウジング３２のカバー係止突起３４に引っ掛かり係止される係止凹部４１が複数形成される。
【００４５】
＜カバー３３の組み付けについて＞
カバー３３は、背面１５の側からこの全体を覆うようにして雄コネクタハウジング３２に係止されれば、組み付けが完了する。
【００４６】
＜本発明の効果について＞
以上、図６ないし図１１を参照しながら説明してきたように、本発明の雄ジョイントコネクタ３１によれば、実施例１と同様の効果を奏するのは勿論である。すなわち、可溶体部２７を有する金属板１３を採用することから、過電流に対する保護をすることができるという効果を奏する。また、本発明の雄ジョイントコネクタ３１によれば、雄コネクタハウジング３２の背面１５に可溶体部２７を配置することから、可溶体部２７の状態を目視することができるという効果を奏する。
【００４７】
この他、実施例２としての効果を挙げると、本発明の雄ジョイントコネクタ３１によれば、過電流にて可溶体部２７が溶断した場合であっても、透明なカバー３３で溶断金属の飛散を防止することができるという効果を奏する。また、本発明の雄ジョイントコネクタ３１によれば、金属板１３の一部を金属板押さえ部４０にて押さえることから、金属板１４の抜けを確実に防止することができるという効果を奏する。
【００４８】
この他、本発明は本発明の主旨を変えない範囲で種々変更実施可能なことは勿論である。
【符号の説明】
【００４９】
１…コネクタ、  ２…雌コネクタ、  ３…雄ジョイントコネクタ、  ４…雌コネクタハウジング、  ５…電線、  ６…雌端子金具、  ７…端子収容室、  ８…ランス、  ９…挿入口、  １０…電気接触部、  １１…電線接続部、  １２…雄コネクタハウジング、  １３…金属板、  １４…正面（第一の面）、  １５…背面（第二の面）、  １６…上面、  １７…下面、  １８…左側面、  １９…右側面、  ２０…コネクタ収容部、  ２１…金属板装着部、  ２２…タブ挿通部、  ２３…バスバー圧入固定部、  ２４…可溶体配置部、  ２５…タブ、  ２６…バスバー、  ２７…可溶体部、  ２８…折り曲げ連続部、  ２９…ハウジング圧入固定部、  ３０…折り曲げ連続部、  ３１…雄ジョイントコネクタ、  ３２…雄コネクタハウジング、  ３３…カバー、  ３４…カバー係止突起、  ３５…背面対向部、  ３６…上面対向部、  ３７…下面対向部、  ３８…左側面対向部、  ３９…右側面対向部、  ４０…金属板押さえ部、  ４１…係止凹部
【図１】
2016134216.tif 000003
【図２】
2016134216.tif 000004
【図３】
2016134216.tif 000005
【図４】
2016134216.tif 000006
【図５】
2016134216.tif 000007
【図６】
2016134216.tif 000008
【図７】
2016134216.tif 000009
【図８】
2016134216.tif 000010
【図９】
2016134216.tif 000011
【図１０】
2016134216.tif 000012
【図１１】
2016134216.tif 000013
【図１２】
2016134216.tif 000014
【図１３】
2016134216.tif 000015
【図１４】
2016134216.tif 000016
【図１５】
2016134216.tif 000017
【図１６】
2016134216.tif 000018
【図１７】
2016134216.tif 000019